(57)【特許請求の範囲】
【請求項１】
スクリーンを巻き取る巻き取りローラと、前記スクリーンの引き出し側縁に取り付けられたフロントフレームと、前記フロントフレームの両端を案内する左右一対のガイドレールと、先端が前記フロントフレームに接続されたロープを巻き取るロープドラムと、前記巻き取りローラの回転を前記ロープドラムに伝える伝達部材と、前記スクリーン及び前記ロープに張力を与える弾性部材を備え、前記伝達部材は、前記ロープドラムを、前記巻き取りローラの送り出し方向への回転に伴い前記ロープを巻き取る方向に回転させると共に前記巻き取りローラの巻き取り方向への回転に伴い前記ロープを送り出す方向に回転させるものであり、前記ロープドラムは巻き取り初期位置の半径が巻き取り終期位置の半径よりも大きなロープ巻き取り部を備えており、前記巻き取り初期位置の半径は前記スクリーンの送り出し初期におけるスクリーン積層体の半径と実質的に同一であり、前記ロープの巻き取りに伴う巻き取り位置の半径の減少量を前記スクリーンの送り出しに伴う前記スクリーン積層体の半径の減少量よりも小さくすることで、前記ロープドラムによる前記ロープの巻き取り量を前記巻き取りローラからの前記スクリーンの送り出し量よりも大きくするものであり、前記フロントフレームを前記ガイドレールに沿って移動させるほど前記弾性部材の変形量が増加して前記スクリーン及び前記ロープに付与する張力が増加することを特徴とするロールスクリーン装置。
【請求項２】
前記ロープドラムは前記巻き取りローラと同軸上に且つ隣接して配置され、前記弾性部材は前記巻き取りローラ内に収容されていることを特徴とする請求項１記載のロールスクリーン装置。
【請求項３】
前記ガイドレールは上下方向に対して交差する方向に沿って設けられていることを特徴とする請求項１または２に記載のロールスクリーン装置。
【発明の詳細な説明】
【技術分野】
【０００１】
本発明は、ロールスクリーン装置に関する。
【背景技術】
【０００２】
ロールスクリーン装置として、巻き取りローラから引き出したスクリーンを左右一対のガイドレールで案内するものがある（特許文献１）。このロールスクリーン装置を図１０〜図１３に示す。ロールスクリーン装置は巻き取りローラ１０１からスクリーン１０２を真っ直ぐ下に引き出し、例えば書庫の扉の代わりに使用されるものであり、左右の縦枠１０３の上端に巻き取りローラ１０１が取り付けられている。巻き取りローラ１０１の左右両側には連けい紐１０４を巻き取る巻き取りプーリ１０５が当該巻き取りローラ１０１と同軸上に設けられており、連けい紐１０４は縦枠１０３内を通されて下枠１０６内の案内プーリ１０７に巻き掛けられて折り返されている。そして、連けい紐１０４の先端はスクリーン１０２の引き出し側縁に取り付けられているフロントフレーム１０８の端に連結されている。
【０００３】
巻き取りプーリ１０５はシャフト１０９に取り付けられて当該シャフト１０９と一体回転する。また、巻き取りローラ１０１はシャフト１０９に対して相対回転可能になっている。巻き取りローラ１０１とシャフト１０９の間には、スクリーン１０２及び連けい紐１０４にテンションを与えるコイルスプリング１１０が設けられている。
【０００４】
巻き取りプーリ１０５の連けい紐巻き取り部は段階的に漸次径が変化する略円錐台形状を成しており、巻き取りローラ１０１からスクリーン１０２を送り出した量だけ連けい紐１０４を巻き取るようにしている。即ち、巻き取りローラ１０１に巻き取られているスクリーン積層体（巻き取りローラ１０１でスクリーン１０２を巻き取ったもの）の太さはスクリーン１０２を送り出すに従って細くなり、単位回転角度当たりの送り出し量Ｌｓは減少する。そのため、巻き取りプーリ１０５が連けい紐１０４を巻き取る位置の径をスクリーン積層体が細くなるのに合わせて小さくし、単位回転角度当たりの連けい紐１０４の巻き取り量Ｌｒを単位回転角度当たりのスクリーン１０２の送り出し量Ｌｓに常に一致させるようにしている（図９のグラフＡ参照）。
【０００５】
このように、連けい紐１０４の巻き取り量Ｌｒとスクリーン１０２の送り出し量Ｌｓを常に一致させることで、スクリーン１０２と連けい紐１０４との相対的な位置関係を維持することができ、スクリーン１０２の引き出し状態に影響されずにコイルスプリング１１０により付与されるテンションを一定に維持することができる。
【先行技術文献】
【特許文献】
【０００６】
【特許文献１】特開２００３−３７１７７７号公報
【発明の概要】
【発明が解決しようとする課題】
【０００７】
しかしながら、ロールスクリーン装置は、その性質上、スクリーン１０２の引き出し量が増えれば増えるほど風等の影響を大きく受けるので、スクリーン１０２がばた付きやすくなる。また、ロールスクリーン装置の設置姿勢を変化させてスクリーン１０２を水平に引き出すようにした場合、スクリーン１０２が自重で撓み易くなる。
【０００８】
本発明は、スクリーンを大きく引き出した場合や水平に引き出した場合であってもスクリーンをしっかりと張ることができるロールスクリーン装置を提供することと目的とする。
【課題を解決するための手段】
【０００９】
かかる目的を達成するために、請求項１記載のロールスクリーン装置は、スクリーンを巻き取る巻き取りローラと、スクリーンの引き出し側縁に取り付けられたフロントフレームと、フロントフレームの両端を案内する左右一対のガイドレールと、先端がフロントフレームに接続されたロープを巻き取るロープドラムと、巻き取りローラの回転を前記ロープドラムに伝える伝達部材と、スクリーン及びロープに張力を与える弾性部材を備え、伝達部材は、ロープドラムを、巻き取りローラの送り出し方向への回転に伴いロープを巻き取る方向に回転させると共に巻き取りローラの巻き取り方向への回転に伴いロープを送り出す方向に回転させるものであり、かつロープドラムは巻き取り初期位置の半径が巻き取り終期位置の半径よりも大きなロープ巻き取り部を備えており、巻き取り初期位置の半径はスクリーンの送り出し初期におけるスクリーン積層体の半径と実質的に同一であり、ロープの巻き取りに伴う巻き取り位置の半径の減少量をスクリーンの送り出しに伴うスクリーン積層体の半径の減少量よりも小さくすることで、ロープドラムによるロープの巻き取り量を巻き取りローラからのスクリーンの送り出し量よりも大きくするものであり、フロントフレームをガイドレールに沿って移動させるほど弾性部材の変形量が増加してスクリーン及びロープに付与する張力が増加するものである。
【００１１】
また、請求項２記載のロールスクリーン装置は、ロープドラムが巻き取りローラと同軸上に且つ隣接して配置され、弾性部材を巻き取りローラ内に収容したものである。
【００１２】
さらに、請求項３記載のロールスクリーン装置は、ガイドレールが上下方向に対して交差する方向に沿って設けられているものである。
【発明の効果】
【００１３】
請求項１記載のロールスクリーン装置では、フロントフレームをガイドレールに沿って移動させてスクリーンを引き出すほど弾性部材の変形量が増加してスクリーン及びロープに付与する張力を大きくすることができるので、スクリーンを大きく引き出して風から受ける影響が大きくなった場合や、スクリーンを水平に引き出して自重により撓み易くなった場合であっても、スクリーンをしっかりと張ることができる。しかも、本発明のロールスクリーン装置では、ロープドラムのロープ巻き取り部の形状によってロープドラムによるロープ巻き取り量を巻き取りローラからのスクリーンの送り出し量よりも大きくすることができるため、スクリーンの張力を変化させるための特別な機構が不要であり、製造コストを安くすることができると共に、装置を軽量でコンパクトなものにすることができ、しかも故障し難い信頼性の高いものにすることができる。
【００１５】
また、請求項２記載のロールスクリーン装置では、弾性部材が巻き取りローラ内に収容されているので、装置をより一層コンパクトにすることができる。
【００１６】
さらに、請求項３記載のロールスクリーン装置のように、ガイドレールを上下方向に対して交差する方向に沿って設けても良く、この場合には引き出されたスクリーンに対して重力が当該スクリーンを撓ませる方向に作用することになるが、スクリーン及びロープに付与する張力を大きくすることでスクリーンをしっかりと張ることができる。また、ロールスクリーン装置を、例えば住宅の軒先、サンルームやカーポートや温室やビニールハウス等の屋根裏等への設置に適したものにすることができる。さらに、スクリーンを水平に引き出す場合には、スクリーンの引き出し量が大きくなるほど引き出されたスクリーンの重さによって引き出し操作に大きな力が必要になるのが一般的であるが、本発明ではスクリーンの引き出し量（送り出し量）よりもロープの巻き取り量が大きく設定されているので、スクリーンを引き出すほどスクリーンの引き出し総量とロープの巻き取り総量との差が大きくなり、ロープの巻き取りがスクリーンの引き出しをいわばアシストすることになる。そのため、スクリーンの引き出し操作が容易になると共に、スクリーンの引き出し操作に必要な力が大きく増加するのを防止でき、使い勝手を良くすることができる。
【図面の簡単な説明】
【００１７】
【図１】本発明のロールスクリーン装置の実施形態の一例を示し、スクリーンを引き出していない状態の平面図である。
【図２】同ロールスクリーン装置の巻き取りローラ及びフロントフレームの横断面図である。
【図３】（Ａ）はロープドラム及び巻き取りローラの正面図、（Ｂ）はフロントフレームの正面図、（Ｃ）は案内プーリの正面図である。
【図４】ドラムシャフトに巻き取りローラ及びロープドラムを組み付ける様子を示す断面図である。
【図５】スクリーンを引き出した状態の平面図である。
【図６】ロープドラムを示し（Ａ）は巻き取り終期位置側から見た側面図、（Ｂ）は正面図、（Ｃ）は巻き取り初期位置側から見た側面図、（Ｄ）は（Ｃ）のＡ−Ａ’線に沿う断面図、（Ｅ）は（Ｃ）のＢ−Ｂ’線に沿う断面図である。
【図７】ロープの巻き取りに伴う巻き取り位置の半径の減少量とスクリーンの送り出しに伴うスクリーン積層体の半径の減少量との大小関係を説明するための図である。
【図８】巻き取りローラ、スクリーン、フロントフレーム、ロープ、ロープドラム及び弾性部材で構成されるエンドレス状構造の概念図である。
【図９】ロープの巻き取り量Ｌｒとスクリーンの送り出し量Ｌｓとの大小関係を説明するための図である。
【図１０】従来のロールスクリーン装置の要部を示し、スクリーンを引き出していない状態の断面図である。
【図１１】従来のロールスクリーン装置の要部を示し、スクリーンを引き出した状態の正面図である。
【図１２】従来のロールスクリーン装置のスクリーンと連けい紐との関係を示す図である。
【図１３】従来のロールスクリーン装置の正面図である。
【発明を実施するための形態】
【００１８】
以下、本発明の構成を図面に示す形態に基づいて詳細に説明する。
【００１９】
図１〜図８に本発明のロールスクリーン装置の実施形態の一例を示す。ロールスクリーン装置は、スクリーン１を巻き取る巻き取りローラ２と、スクリーン１の引き出し側縁に取り付けられたフロントフレーム３と、フロントフレーム３の両端を案内する左右一対のガイドレール４と、先端がフロントフレーム３に接続されたロープ６を巻き取るロープドラム５と、巻き取りローラ２の回転をロープドラム５に伝える伝達部材と、スクリーン１及びロープ６に張力を与える弾性部材７を備えている。本実施形態では、弾性部材７が巻き取りローラ２の回転をロープドラム５に伝える伝達部材を兼用している。また、本実施形態では、ロープドラム５及びロープ６の組をスクリーン１の両脇に設けているが、必ずしも両脇に設ける必要はなく、いずれか一方にのみ設けるようにしても良い。または、ロールスクリーン装置の幅方向中央部にロープドラム５及びロープ６の組を設け、中央１箇所のみに設けるようにしても構わない。さらに、本実施形態では、引き出したスクリーン１に対して垂直な方向から見てスクリーン１に重ならない位置にロープドラム５及びロープ６を設けているが、スクリーン１に重なる位置にロープドラム５及びロープ６を設けても良い。
【００２０】
本実施形態では、例えば住宅の軒下に設置する場合を例に説明するが、設置場所としては軒下に限られず、例えばサンルームの屋根裏、カーポートの屋根裏等に設置しても良い。
【００２１】
巻き取りローラ２は円筒形状を成しており、中心にはドラムシャフト８が貫通している。巻き取りローラ２とドラムシャフト８との間には軸受けが設けられており、巻き取りローラ２はドラムシャフト８に対して回転自在に支持されている。巻き取りローラ２をドラムシャフト８に対して回転自在にすることで、巻き取りローラ２とロープドラム５とは相対回転可能になっている。本実施形態では３つの軸受け９，１０，１１で巻き取りローラ２を支持しているが、必ずしも３つに限られない。３つの軸受け９，１０，１１のうち、巻き取りローラ２の軸方向中央位置を支持する軸受け１０はその両側をドラムシャフト８に固定された押さえ１２，１２に挟まれて位置固定されており、両端近傍位置を支持する２つの軸受け９，１１は巻き取りローラ２に例えばねじ止めされている。スクリーン１は巻き取りローラ２の外周面に巻き取られる。なお、巻き取りローラ２に巻き取られている状態のスクリーン１をスクリーン積層体１３という。スクリーン積層体１３はスクリーン１が巻き取りローラ２から送り出される（引き出される）のに従って細くなり（送り出し位置の半径が減少し）、単位回転角度当たりの送り出し量が減少する。
【００２２】
ドラムシャフト８は巻き取りローラ２よりも長尺のパイプであり、巻き取りローラ２から突出した両端部にはロープドラム５がそれぞれ取り付けられている。即ち、ロープドラム５は巻き取りローラ２と同軸上に且つ隣接して配置されている。ドラムシャフト８の両端部にはキー１４が取り付けられており、一方、キー１４に対応してロープドラム５の中心孔にはキー溝１５が設けられており、ロープドラム５とドラムシャフト８とは一体となって回転する。
【００２３】
ロープドラム５を図６に示す。ロープドラム５は、巻き取り初期位置１６の半径が巻き取り終期位置１７の半径よりも大きなロープ巻き取り部５ａを備えている。本実施形態のロープドラム５はほぼ円錐台形状を成しており、その周面がロープ巻き取り部５ａになっている。ロープ巻き取り部５ａにはロープ６を巻き取りながら巻き取り初期位置１６から巻き取り終期位置１７へと導く螺旋状の案内溝１８が形成されている。
【００２４】
ロープ巻き取り部５ａの巻き取り初期位置１６の半径はスクリーン１の送り出し初期におけるスクリーン積層体１３の半径Ｒｓと実質的に同一になっている（図７）。ここで「実質的同一」には厳密に同一の他、若干相違しており厳密には同一とはいえない場合であってもその相違が無視できるときには含まれる。
【００２５】
図７に示すように、ロープ巻き取り部５ａの巻き取り終期位置１７の半径は、スクリーン積層体１３のスクリーン送り出し終期の半径ＲｅよりもΔＲだけ大きくなっている。そのため、ロープ６の巻き取りに伴う巻き取り位置の半径の減少量は、スクリーン１の送り出しに伴うスクリーン積層体１３半径の減少量よりも小さくなり、ロープドラム５によるロープ６の巻き取り量Ｌｒが巻き取りローラ２からのスクリーン１の送り出し量Ｌｓよりも大きくなり、フロントフレーム３をガイドレール４に沿って移動させるほど弾性部材７の変形量が増加してスクリーン１及びロープ６に付与する張力を増加させている。
【００２６】
ロープ６はロープドラム５の巻き取り初期位置１６側の側面５ｂに接続されており、側面５ｂに形成された溝５ｃ内を通されて切り欠き５ｄから巻き取り部５ａへと引き出されている。ロープ６は金属製のワイヤであってもよく、非金属性の硬質素材を用いたワイヤであっても構わない。また、切断や伸びの問題がなければ、布製や革製のロープを使用しても良い。さらに、チェーン等でも良い。要するに、紐状の部材でフロントフレーム３を案内するものであれば良い。
【００２７】
本実施形態では、ロープドラム５をその巻き取り終期位置１７側を巻き取りローラ１に向けて配置しているが、巻き取り初期位置１６側を巻き取りローラ１に向けて配置しても良い。
【００２８】
ドラムシャフト８の両端に挿入されたシャフトバー２０の突出部分にはロープドラム５の脱落を防止するシャフトカラー２１が嵌め込まれ、さらにシャフトバー２０の先端面にはシャフトカラー２１の脱落を防止するシャフトワッシャ２２が例えばねじ止めされている。シャフトカラー２１は垂木２３に取り付けられたブラケット２４に支持されている。左右のシャフトカラー２１をブラケット２４で支持することで、ドラムシャフト８に巻き取りローラ２及びロープドラム５と組み付けたユニットが２本の垂木２３間に掛け渡すように取り付けられる。
【００２９】
フロントフレーム３はスクリーン１の引き出し側縁とほぼ同じ長さのフレームであり、巻き取りローラ２側の側面にはスクリーン１の引き出し側縁が、反対側の側面の両端部にはロープ６の先端がそれぞれ連結されている。
【００３０】
フロントフレーム３の両端には走行用ローラ２５を取り付けたホルダプレート２６が例えばねじ止めされている。本実施形態ではホルダプレート２６に２つの走行用ローラ２５が取り付けられているが、取付数は２つに限られない。走行用ローラ２５をガイドレール４に沿って走行させてフロントフレーム３を往復移動させることでスクリーン１を巻き取りローラ１から引き出したり巻き取りローラ１で巻き取ったりすることができる。
【００３１】
フロントフレーム３には操作用の紐（図示省略）が連結されている。使用者は操作用の紐を引っ張ることで、高い場所に設置されているロールスクリーン装置を操作することができる。ただし、使用者の手がフロントフレーム３に直接届く場合等には操作用の紐を省略しても良く、その場合には、フロントフレーム３に持ち手を設ける事で操作しやすくしても良い。
【００３２】
左右のガイドレール４はスクリーン１の幅よりも若干間隔をあけて平行に配置され、例えば垂木２３に固定されている。ガイドレール４は上下方向に対して交差する方向に設けられている。本実施形態では、ほぼ水平に設けられている。ただし、必ずしも水平に限られず、斜め下又は斜め上に向けて設けても良い。スクリーン１を真下に向けて引き出す場合にはスクリーン１が重力によって撓むことはないが、水平に引き出したり、斜め下又は斜め上に向けて引き出した場合（上下方向に対して交差する方向に引き出した場合）にはスクリーン１が重力によって撓むことになる。詳しくは後述するように本発明では重力によるスクリーン１の撓みを防止することができるので、重力がスクリーン１を撓ませる方向に作用するような設置の場合に特にその効果が発揮されて有効である。ただし、スクリーン１を真下に向けて引き出す場合にも風によるばた付きを防止することができるという効果が発揮されるので、スクリーン１を真下に引き出すタイプのロールスクリーン装置にも適用可能である。
【００３３】
ガイドレール４の前方には、ロープ６を巻き回す案内プーリ２７が設けられている。案内プーリ２７はホルダプレート２８に回転自在に取り付けられ、垂木２３に固定されている。ロープドラム５の下側から引き出されたロープ６はフロントフレーム３の下を通り抜けて案内プーリ２７へと延びていき、案内プーリ２７の下側から上側に向けて巻き掛けられて折り返され、フロントフレーム３に連結される。
【００３４】
伝達部材を兼用する弾性部材７はロープドラム５と巻き取りローラ２との間に設けられ、ロープドラム５を巻き取りローラ２の送り出し方向への回転に伴いロープ６を巻き取る方向に回転させると共に、巻き取りローラ２の巻き取り方向への回転に伴いロープ６を送り出す方向に回転させる。本実施形態では弾性部材７としてコイルスプリングを使用し、巻き取りローラ２内に収容している。即ち、弾性部材７はドラムシャフト８の端部の周囲に配置され、その一端はロープドラム５の側面に設けられた小孔５ｅに、他端は軸受け９の側面に設けられた小孔（図示省略）にそれぞれ挿入されている。本実施形態では、ロープドラム５に３つの小孔５ｅを設けており、使用する小孔５ｅの選択により弾性部材７の捻り量を変えて予荷重の調整を可能にしている。
【００３５】
ここで、巻き取りローラ２とロープドラム５は同軸上に並んで配置されており、巻き取りローラ２がスクリーン１を送り出す位置とロープドラム５がロープ６を巻き取る位置とはドラムシャフト８に対し径方向反対側になっているので（図２では、巻き取りローラ２がスクリーン１を送り出す位置：上側、ロープドラム５がロープ６を巻き取る位置：下側）、弾性部材７は巻き取りローラ２とロープドラム５とを同方向に回転させるように設けられている。弾性部材７は予荷重をかけた状態で設けられており、スクリーン１及びロープ６に常時張力を与えている。
【００３６】
本実施形態では、ロープドラム５を巻き取りローラ２の左右両側に設けているのに対し、弾性部材７は巻き取りローラ２の片側にのみ設けられている。即ち、スクリーン１の引き出しによる巻き取りローラ２の回転は弾性部材７を介して片方のロープドラム５に伝えられ、当該ロープドラム５からドラムシャフト８を介してもう片方のロープドラム５に伝達される。ただし、弾性部材７を巻き取りローラ２の両側に設けて同時に左右の巻き取りローラ２に回転を伝えるようにしても良い。また、片側にのみ設ける場合には、左右のいずれに設けても良い。
【００３７】
なお、本実施形態では弾性部材７としてコイルスプリングを使用していたが、コイルスプリングに限られない。また、弾性部材７を巻き取りローラ２内に収容しなくても良い。
【００３８】
次に、ロールスクリーン装置の使用について説明する。使用者がフロントフレーム３をガイドレール４に沿って移動させると、巻き取りローラ２からスクリーン１が引き出される。巻き取りローラ２の回転は弾性部材７を介して片方のロープドラム５に伝えられ、当該ロープドラム５からドラムシャフト８を介してもう片方のロープドラム５に伝えられる。したがって、左右のロープドラム５の回転は同一になり、左右のロープ６の巻き取り量は同一になり、フロントフレーム３は真っ直ぐに移動する。また、移動させたフロントフレーム３を巻き取りローラ１側に戻す場合も同様に、左右のロープ６の送り出し量は同一になり、フロントフレーム３は真っ直ぐに移動する。
【００３９】
予荷重が掛けられている弾性部材７はスクリーン１及びロープ６に常時張力を与えている。巻き取りローラ２→スクリーン１→フロントフレーム３→ロープ６→ロープドラム５→弾性部材７→巻き取りローラ２のように構成されるエンドレス状構造に縮まろうとする張力を常時与えているので、フロントフレーム３を任意の位置で止めてスクリーン１の引き出し量を任意量に調節することができる。
【００４０】
スクリーン１の送り出しに伴ってスクリーン積層体１３は細くなり、スクリーン１の送り出し位置の半径は減少する。また、ロープ６の巻き取りに伴ってロープドラム５の巻き取り部５ａにおけるロープ６巻き取り位置が巻き取り初期位置１６から巻き取り終期位置１７へと移動し、ロープ６巻き取り位置の半径も減少する。これらの半径の減少に伴い、単位回転角度当たりのスクリーン１の送り出し量Ｌｓやロープ６の巻き取り量Ｌｒは減少する。
【００４１】
ここで、図９のグラフＡのようにスクリーン１の送り出し量Ｌｓとロープ６の巻き取り量Ｌｒとが常に一致する場合には弾性部材７の変形量は変化せず、スクリーン１及びロープ６に付与する張力を変化させることはできない。
【００４２】
これに対し、本発明のロールスクリーン装置では、ロープ６の巻き取りに伴う巻き取り位置の半径の減少量を、スクリーン１の送り出しに伴うスクリーン積層体１３の半径（スクリーン１の送り出し位置の半径）の減少量よりも小さくし、図９のグラフＢに示すように、ロープ６の巻き取り量Ｌｒをスクリーン１の送り出し量Ｌｓよりも大きくしているので、スクリーン１を引き出せば引き出すほど巻き取りローラ２の回転とロープドラム５の回転との間に差が生じ、弾性部材７の変形量が増加するので、スクリーン１及びロープ６に与える張力を徐々に大きくすることができる。本実施形態では、例えば、（Ｌｓ：Ｌｒ）＝（１：１．０３）としているが、大小関係はこれに限られず適宜設定可能である。
【００４３】
巻き取りローラ１から引き出されている量が大きくなるほどスクリーン１は自重によって撓みやすくなるが、スクリーン１の引き出しに伴ってスクリーン１及びロープ６の張力が増加するので、スクリーン１の撓みを防いでしっかりと張ることができる。
【００４４】
また、本実施形態では、ロープドラム５のロープ巻き取り部５ａの形状によってロープ６の巻き取り量Ｌｒをスクリーン１の送り出し量Ｌｓよりも大きくしているので、スクリーン１及びロープ６の張力を増加させるための特別な機構が不要であり、製造コストを安くすることができると共に、装置を軽量でコンパクトなものにすることができ、しかも故障し難い信頼性の高いものにすることができる。
【００４５】
また、本実施形態では、弾性部材７が巻き取りローラ２内に収容されているので、装置をより一層コンパクトにすることができる。
【００４６】
さらに、スクリーン１を水平に引き出す場合には、スクリーン１の引き出し量が大きくなるほど引き出されたスクリーン１の重さによって引き出し操作に大きな力が必要になるのが一般的であるが、本発明では、スクリーン１の送り出しＬｓ（引き出し量）よりもロープ６の巻き取り量Ｌｒが大きく設定されているので、スクリーン１を引き出すほどスクリーン１が引き出し総量とロープ６の巻き取り総量との差が大きくなり、ロープ６の巻き取りがスクリーン１の引き出しをいわばアシストすることになる。そのため、スクリーン１の引き出し操作が容易になると共に、スクリーン１の引き出し操作に必要な力が大きく増加するのを防止でき、使い勝手を良くすることができる。
【００４７】
なお、上述の形態は本発明の好適な形態の一例ではあるがこれに限定されるものではなく本発明の要旨を逸脱しない範囲において種々変形実施可能である。
【００４８】
例えば、上述の説明では、ロープドラム５のロープ巻き取り部５ａに螺旋状の案内溝１８を設けて当該案内溝１８によってロープ６を案内するようにしていたが、例えば釣り用のリールのようにロープ６巻き取り位置を自動的にずらすことができる場合等には案内溝１８を設けなくても良い。なお、案内溝１８を設けない場合には巻き取り部５ａを傾斜面にして連続的に径を変えるようにしても良いし、階段状に径を変えるようにしても良い。
【００４９】
また、上述の説明では、巻き取りローラ２をドラムシャフト８に対して相対回転可能にすると共に、ロープドラム５をドラムシャフト８に対して相対回転不能にすることで、巻き取りローラ２とロープドラム５とを相対回転可能にしていたが、逆に、巻き取りローラ２をドラムシャフト８に対して相対回転不能にすると共に、ロープドラム５をドラムシャフト８に対して相対回転可能にすることで、巻き取りローラ２とロープドラム５とを相対回転可能にしても良い。
【００５０】
また、上述の説明では、巻き取りローラ２の回転をロープドラム５に伝える伝達部材を弾性部材７によって兼用していたが、弾性部材７とは別に伝達部材を設けても良い。例えば、巻き取りローラ２とロープドラム５の両方をドラムシャフト８に対して相対回転不能にすることで、ドラムシャフト８を伝達部材としても良い。この場合、弾性部材７はエンドレス状構造の別の位置、例えばフロントフレーム３とロープ６との間、又はフロントフレーム３とスクリーン１との間に設けることが好ましい。この場合にも、スクリーン１を引き出せば引き出すほど弾性部材７の変形量が増加するので、スクリーン１及びロープ６に与える張力を徐々に大きくすることができ、スクリーン１の撓みを防いでしっかりと張ることができる。
【００５１】
また、上述の説明では、スクリーン１の送り出し量Ｌｓとロープ６の巻き取り量Ｌｒとの大小関係を一定にしていたが、ＬｓとＬｒとの大小関係を変化させても良い。例えば、図９のグラフＣのように、スクリーン１送り出しの前半には（Ｌｓ：Ｌｒ）＝（１：１）とし、途中から（１：１＋α）にしても良い。
【符号の説明】
【００５２】
１  スクリーン
２  巻き取りローラ
３  フロントフレーム
４  ガイドレール
５  ロープドラム
６  ロープ
７  弾性部材（伝達部材を兼用）
１６  ロープドラムのロープ巻き取り部５ａの巻き取り初期位置
１７  ロープドラムのロープ巻き取り部５ａの巻き取り終期位置
５ａ  ロープ巻き取り部
１３  スクリーン積層体
【図１】
0005944181.tif 000002
【図２】
0005944181.tif 000003
【図３】
0005944181.tif 000004
【図４】
0005944181.tif 000005
【図５】
0005944181.tif 000006
【図６】
0005944181.tif 000007
【図７】
0005944181.tif 000008
【図８】
0005944181.tif 000009
【図９】
0005944181.tif 000010
【図１０】
0005944181.tif 000011
【図１１】
0005944181.tif 000012
【図１２】
0005944181.tif 000013
【図１３】
0005944181.tif 000014